【事件の表示】
　特許第３０６０３３０号「画像処理装置及び方法」の請求項１ないし４に係る特許に対する特許異議の申立てについて、次のとおり決定する。
【結　論】
　訂正を認める。
　特許第３０６０３３０号の請求項１ないし４に係る特許を取り消す。
【理　由】
１．手続きの経緯
　特許第３０６０３３０号の請求項１〜４に係る発明についての出願は、平成３年７月９日に特許出願され、平成１２年４月２８日にその発明について特許権の設定登録がなされ、その後、その特許について、特許異議申立人渡辺等より特許異議の申立てがなされ、取消しの理由が通知され、その指定期間内である平成１３年５月２８日に訂正請求がなされたものである。
　
　
２．訂正の適否についての判断
（１）訂正の内容
　特許権者が求めている訂正は、以下の訂正事項ａ〜ｄのとおりである。
（訂正事項ａ）
　特許請求の範囲の請求項１ないし３の「ドットの記録順序が異なる複数の方法」を「
画像全体を記録する
それぞれ
（訂正事項ｂ）
　明細書の段落００１２及び００１３の「ドットの記録順序が異なる複数の方法」を「
画像全体を記録する
それぞれ
（訂正事項ｃ）
　明細書の段落００５２の「ドットの記録順序が異なる複数の記録方法」を「
画像全体を記録する
それぞれ
（訂正事項ｄ）
　明細書の段落００５２の「どの記録方法を用いて記録した場合にも、」を「
画像全体を
　
（２）訂正の目的の適否、新規事項の有無及び拡張・変更の存否
 上記訂正事項ａは、特許請求の範囲の減縮に該当し、上記訂正事項ｂ〜ｄは、それに伴い特許請求の範囲と発明の詳細な説明の記載との整合をとるためものであって明りょうでない記載の釈明に該当する。そして、これらの訂正は、いずれも明細書の段落０００４〜０００６及び第６図、第７図の記載の基づくものであるから、新規事項の追加に該当せず、実質的に特許請求の範囲を拡張又は変更するものではない。
　
（３）むすび
　以上のとおりであるから、上記訂正は、特許法第１２０条の４第２項及び同条第３項において準用する特許法第１２６条第２項から第４項までの規定に適合するので、当該訂正を認める。
　
　
３．特許異議申立てについての判断
（１）本件発明
　上記２．で示したように上記訂正が認められるから、本件の請求項１〜４に係る発明は、上記訂正に係る訂正明細書の特許請求の範囲の請求項１〜４に記載されたとおりのものと認められるところ、その請求項１に係る発明は次のものである。
「入力した画像データの第１の色情報を画像記録用の第２の色情報に変換する変換手段と、
　画像全体を記録するドットの記録順序がそれぞれ異なる複数の方法を切り替えて、前記変換手段により変換された第２の色情報の画像を記録する画像記録手段と、
　前記画像記録手段により画像を記録する方法の選択に応じて、当該選択された記録方法に対応する色変換を行なうよう前記変換手段を制御する変換制御手段とを有することを特徴とする画像処理装置。」
　
（２）引用刊行物に記載された発明
　当審が平成１３年３月１５日付けで通知した取消しの理由で引用した特開昭６０−１３２４６３号公報（昭和６０年７月１５日出願公開。以下「刊行物１」という。）には、カラープリンタに関し、以下のことが記載されている。
（ア）「＜従来技術＞　
　この種のカラープリンタとしてはサーマル転写型プリンタ、インクジェットプリンタ等があるが、以下カラーインクジェットプリンタを例に説明する。
　カラーインクジェットプリンタにおいては、一般にシアンＣ、マゼンタＭ、イエローＹ、ブラックＢＫの４色のインクを用いる。そして、各インクには不要色成分が含まれているので、正確な色を再現する為にマスキング処理が行なわれる。ところが、マスキング処理を行っても、４色のインクの重ね打たれる順序が違うと、得られる色相が変わってくることが確かめられている。これは紙の各種インクに対する吸収性の違いやインクの物理的特性に起因すると考えられている。
　従って往動時、復動時でインクが打たれる順序が変わると色相も変化してしまうという欠点があった。」（１頁下左欄２０行〜同頁下右欄１８行）
（イ）「第４図は画像処理回路４４のブロック図である。ある画素に対応した Ｒ，Ｇ，Ｂ色分解信号はＣＭＹ変換部でＣＭＹに変換され、γ変換部５２でγ変換される。
　次に、Ｕ．Ｃ．Ｒ５３では、Ｃ′，Ｍ′，Ｙ′から黒成分を検出し、ＢＫ″を決定する。そして、ＢＫ″がある値以上の場合だけＢＫ″を出力し、その分だけＣ′，Ｍ′，Ｙ′からＢＫ″を引き、Ｃ″，Ｍ″，Ｙ″を求める。
　その後、マスキング部５４で色補正を行なったのちヘッドドライバ４６へデータＹｏｕｔ，Ｍｏｕｔ，Ｃｏｕｔ，ＢＫｏｕｔが出力される。」（３頁上左欄１〜１１行）
（ウ）「マスキング回路５４のマスキング係数は例えば次の様にして定められる。往動時の印写におけるマスキング方程式が、
  　ｙ　　　　Ａ１１　Ａ１２　Ａ１３　Ａ１４　　　Ｙ″
  　ｍ　　　　Ａ２１　Ａ２２　Ａ２３　Ａ２４　　　Ｍ″
  　ｃ　　＝　Ａ３１　Ａ３２　Ａ３３　Ａ３４　・　Ｃ″
  　ｂｋ　　　Ａ４１　Ａ４２　Ａ４３　Ａ４４　　　ＢＫ″
と表わせ、復動時の印写におけるマスキング方程式が
  　ｙ　　　　Ｂ１１　Ｂ１２　Ｂ１３　Ｂ１４　　　Ｙ″
  　ｍ　　　　Ｂ２１　Ｂ２２　Ｂ２３　Ｂ２４　　　Ｍ″
  　ｃ　　＝　Ｂ３１　Ｂ３２　Ｂ３３　Ｂ３４　・　Ｃ″
  　ｂｋ　　　Ｂ４１　Ｂ４２　Ｂ４３　Ｂ４４　　　ＢＫ″
と表わせる場合。
　マスキング回路５４のマスキング方程式は次の如く表わせる。
  　Ｙｏｕｔ　　　
  　Ｍｏｕｔ　　　
  　Ｃｏｕｔ　＝　１／２　・
  　ＢＫｏｕｔ　　
　　Ａ１１＋Ｂ１１　Ａ１２＋Ｂ１２　Ａ１３＋Ｂ１３　Ａ１４＋Ｂ１４　
　　Ａ２１＋Ｂ２１　Ａ２２＋Ｂ２２　Ａ２３＋Ｂ２３　Ａ２４＋Ｂ２４　
　　Ａ３１＋Ｂ３１　Ａ３２＋Ｂ３２　Ａ３３＋Ｂ３３　Ａ３４＋Ｂ３４　
　　Ａ４１＋Ｂ４１　Ａ４２＋Ｂ４２　Ａ４３＋Ｂ４３　Ａ４４＋Ｂ４４　
  　　　　　　　　　　Ｙ″
  　　　　　　　　　　Ｍ″
  　　　　　　　　・　Ｃ″
  　　　　　　　　　　ＢＫ″
　以上の様にしてマスキング係数を定めることにより、両方向印写における色相の変化を最小とすることができる。」（３頁上左欄１２行〜同頁上右欄１４行）
（単にワープロの表記上の問題で、上記各行列式の括弧（　）の表記を省略した。以下、上記各４×４行列をそれぞれ行列式［Ａ１１〜Ａ４４］、行列式［Ｂ１１〜４４］、行列式［Ａ１１＋Ｂ１１〜Ａ４４＋Ｂ４４］と表す。）
  　
　同じく引用した特開昭６４−６７３４８号公報（昭和６４年３月１４日出願公開。以下「刊行物２」という。）には、液体インク印刷のためのスポット堆積方法に関し、以下のことが記載されている。
（エ）「混色を印刷する場合には、ある色のスポットの上に他の色のスポットが置かれる。例えば、マゼンタとイェローでレッドが生じ、イェローとシアンでグリーンが生じ、マゼンタとシアンでブルーが生じる。減法混色は、インクが堆積される順序に応じて、若干異なる色合いが生じることはよく知られている。従って、シアンの上にマゼンタを重ねて生じたブルーはマゼンタの上にシアンを重ねて生じたブルーとは色相が異なる。第６Ａ図および第６Ｂ図に示すように、従来のインクジェット印刷法に従って、一度に１行づつ、混色印刷を双方向に行う場合には、ヘッド・キャリッジ２６の配置は、インクの重なる順序が行から行へ逆になるようにする必要がある。これは、単色領域の１つおきの行が異なる色相になる「カラー・バンド」として知られる容認できない状態を生じさせる。
　混色は、ある色のスポットの上に他の色のスポットを全体に重ねることによって作られるが、重なっている単一の画素領域については、ビードは生じない。もし第６Ａ図および第６Ｂ図の従来の堆積順序に従えば、水平方向および垂直方向に隣接する混色スポットについては、ビードが依然として問題になる。しかし、第７Ａ図および第７Ｂ図に示すように、混色スポットを同じチェッカー盤堆積パターンで堆積させれば、上に述べた理由で、ビードは生じない。各画素領域は多くのインクを含んでおり、そして第２の補足チェッカー盤パターンでインクを堆積させることができるまでに、インクが粘着状態になるのにかなり長い時間が必要であることに留意されたい。（中略）　本発明の方法では、逆方向の印刷パスでカラー順序が逆になるにも拘わらず、カラー・バンドは生じない。その理由は、第７Ａ図および第７Ｂ図をよく見られれば明らかになるであろう。異なる混色スポット（すなわち、シアンの上にマゼンタと、マゼンタの上にシアン）は、１つおきの行ではなく、１つおきのチェッカー盤パターンに位置しているので、色がむらなく混ぜ合わされ、色差を知覚することはできない。」（４頁下右欄３行〜５頁上右欄９行）
　
　同じく引用した特開平０３−１４６３４５号公報（平成３年６月２１日出願公開。以下「刊行物３」という。）には、インクジェット記録装置に関し、以下のことが記載されている。
（オ）「１）記録液滴を用いて記録媒体上に画像情報に基づいた画像を記録するインクジェット記録装置において、
　実行される記録モードが指定紙モードか指定紙以外モードかを示す識別情報を発生する識別情報発生手段と、
　該識別情報発生手段からの識別情報が指定紙以外モードを示すとき、前記画像情報を複数の画素ドットパターンに分割し当該分割パターン毎に順次記録を行うことにより前記画像の記録を行なう分割記録制御手段と
を具備したことを特徴とするインクジェット記録装置」（１頁下左欄５〜１７行）
（カ）「８）前記識別情報発生手段からの識別情報に応じて、片方向記録または両方向記録を実行することを特徴とする請求項１ないし６のいずれかの項に記載のインクジェット記録装置」（２頁上右欄９〜１２行）
（キ）「しかしながら、カラーインクジェット記録装置においては、往復記録を第１１図に示す動作態様で行った場合、図中矢印ＰＴ方向Ｂの色を記録するには、Ｃの色の上にＭの色が重ね合わされるので、より青っぽい青が形成される。また、図中矢印ＣＲ方向の復移動時に、Ｂの色を記録するには、Ｍの色の上にＣの色が重ね合わされるので、より赤っぽい青が形成される。そのため、往復時の色合いが著しく違ってしまうという不都合があった。」（３頁上右欄８〜１６行）
（ク）「そこで、本発明は特にインクにじみ等による画質の低下の問題を解決すべく、用いる記録媒体または記録密度に応じて通常の記録モードあるいは分割記録モードのいずれかで記録を行なうことにより、記録媒体が比較的インク吸収能力の低い指定紙以外のものであっても、あるいは記録密度が高い場合にも高画質高品位な記録画像を得ることができるカラーインクジェット記録装置を提供することを目的とする。」（３頁下左欄１５行〜同頁下右欄３行）
　
（３）対比・判断
　本件の請求項１に係る発明と、刊行物１に記載された発明とを比較すると、
　刊行物１に記載された発明は、ある画素に対応したＲ，Ｇ，Ｂ色分解信号は、ＣＭＹ変換部、γ変換部、Ｕ．Ｃ．Ｒ部、マスキング処理部を経てＹｏｕｔ，Ｍｏｕｔ，Ｃｏｕｔ，ＢＫｏｕｔに変換され、ヘッドドライバヘ出力されるものであるから（上記（イ）参照）、刊行物１に記載された発明のＣＭＹ変換部、γ変換部、Ｕ．Ｃ．Ｒ部、マスキング処理部は、本件の請求項１に係る発明の「入力した画像データの第１の色情報を画像記録用の第２の色情報に変換する変換手段」に相当している。
　刊行物１に記載された発明は、結果的に往動時と復動時ではドットの記録順序が異なり、往復運動では往動と復動が順次切り替えられるものであるから（上記（ア）及び第２図参照）、刊行物１に記載された発明のインクジェットヘッド、パルスモータ、ヘッドドライバ（第１図参照）は、「ドットの記録順序を切り替えて、前記変換手段により変換された第２の色情報の画像を記録する画像記録手段」の点で本件の請求項１に係る発明の画像記録手段と一致している。
　
　以上のことから、本件の請求項１に係る発明と、刊行物１に記載された発明とは、
「入力した画像データの第１の色情報を画像記録用の第２の色情報に変換する変換手段と、ドットの記録順序を切り替えて、前記変換手段により変換された第２の色情報の画像を記録する画像記録手段とを有することを特徴とする画像処理装置」
の点で一致し、以下の点で相違する。
（相違点１）
　ドットの記録順序の切り替えが、本件の請求項１に係る発明が、「画像全体を記録するドットの記録順序がそれぞれ異なる複数の方法を切り替え」ているのに対し、引用例１に記載された発明は、単に往動時と復動時のドットの記録順序が異なるものである点。
（相違点２）
　本件の請求項１に係る発明が、「画像記録手段により画像を記録する方法の選択に応じて、当該選択された記録方法に対応する色変換を行うよう前記変換手段を制御する変換制御手段」をさらに有するのに対し、刊行物１に記載された発明は、当該変換制御手段を有さず、両方向印写における色相の変化を最小とするようなマスキング係数を用いた共通の色変換を両方向に対して行う点。
　
　まず相違点１について検討すると、
　画像全体を記録するドットの記録順序が異なる複数の記録方法として、片方向記録、両方向記録（往復記録）、４色複数ヘッド走査、チェッカー盤パターン等、種々の方法が当業者に知られており（上記（エ）、（カ）参照）、また複数の記録方法を切り換えることも刊行物３に示されているから（上記（オ）、（カ）、（ク）参照）、画像全体を記録するドットの記録順序がそれぞれ異なる複数の方法を切り替えるようにすることは、当業者が必要に応じて適宜なし得ることである。
　次に相違点２について検討すると、
　インクジェット方式の記録装置においてドットの記録順序が異なると画像の色が異なってしまうことは周知の事項であり（上記（ア）、（エ）、（キ）参照）、刊行物１には、往動時の記録順序に対応したマスキング方程式が行列式［Ａ１１〜Ａ４４］により表され、復動時の記録順序に対応したマスキング方程式が行列式［Ｂ１１〜Ｂ４４］により表されることが示されており（上記（ウ）参照）、本来、ドットの記録順序に応じたマスキング処理が行われるべきであることは当業者に容易に予測されることである。ここで、マスキング処理は色変換処理の一部であることから（上記（イ）参照）、ドットの記録順序に対応したマスキング処理は、ドットの記録順序に対応した色変換処理と言い得ることは当業者に自明である。
　また、色相が変化する要因がある場合に当該要因に対応した適切な色変換処理を採用するようにすることも、例えば原審の平成１０年２月１２日付けの拒絶理由で引用した特開昭６４−８６１７３号公報、特開昭６３−１２７６８９号公報、特開昭５５−１６１４６６号公報、特開昭５６−１６６７号公報等にあるように周知である。
　したがって、画面全体を記録するドットの記録順序が異なる方法により記録されたものは画像の色が異なってしまうことは当業者に明らかであるから、画面全体を記録するドットの記録順序が異なる複数の方法に応じて、当該記録順序に対応した色変換を行うように色変換手段を制御することは、画面全体を記録するドットの記録順序が異なる複数の方法を切り替えることに伴い当業者に普通に採用されることにすぎない。
　
　以上のとおり、請求項１に係る発明は、刊行物１〜３に記載された発明及び周知の技術に基いて、当業者が容易に発明をすることができたものである。
　そして、請求項２は、請求項１に係る発明の画像記録手段をインクジェット方式による記録を行なう手段に限定するものであるが、刊行物１〜３に記載された画像記録手段はいずれもインクジェット方式により記録を行うものであるから、請求項２に係る発明も、同様の理由により、刊行物１〜３に記載された発明及び周知の技術に基いて、当業者が容易に発明をすることができたものである。
　さらに、請求項３、４は、それぞれ請求項１、２の装置の発明を方法の発明として表現したものであるから、請求項３、４に係る発明も、同様の理由により、刊行物１〜３に記載された発明及び周知の技術に基いて、当業者が容易に発明をすることができたものである。
　
　なお、特許権者は、平成１３年５月２８日付け特許異議意見書において、本件発明は、画像の色が異なることの原因によらず解決するものであり、各モードの色変換の調整は例えば出力サンプルを参照して調整し得る旨主張しており、当審が取消理由通知において記載不備として指摘した点については何等明らかにしていない。
　このため、画面全体を記録するドットの記録順序が異なる複数の記録方法が、それぞれインクの重なりを生じるのか否かも依然として不明であり、もし重なりが生じないのであれば、ドットの記録順序により画像の色が変化する理由は見当たらず、そもそも色変換を制御する必要性が不明である。
　また、原因が分からなければどのように対処すべきか分からないはずであり、通常、記録された画像の色の違いには複数の原因があることに鑑みれば、単に出力サンプルを参照して調整した色変換が同じ記録方法により記録されるもの全てに対応し得るという確証はなく、本件発明が選択された記録方法に対応した色変換の制御をなし得ているのか確認することができない。
　すなわち、色変化の原因に基づいて導出された色変換に依らず、単に出力サンプルを参照して調整した色変換を行うのであれば、試し刷りによる場当たり的な色調整と変わりがなく、その程度のことには、技術的に何等格別なものは見当たらず、必要に応じて適宜なされ得ることにすぎないものである。
　
（４）むすび
　以上のとおりであるから、本件の請求項１〜４に係る発明は、特許法第２９条第２項の規定により特許を受けることができない。
　したがって、本件の請求項１〜４に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月１２日（２００１．６．１２）
【訂正の要旨】
訂正の要旨
　ａ．特許請求の範囲の請求項１ないし３の「ドットの記録順序が異なる複数の方法」を「
画像全体を記録する
それぞれ
　これに伴い、明細書の段落００１２及び００１３の「ドットの記録順序が異なる複数の方法」を「
画像全体を記録する
それぞれ
画像全体を記録する
それぞれ
　ｂ．明細書の段落００５２の「どの記録方法を用いて記録した場合にも、」を「
画像全体を
（５４）【発明の名称】
画像処理装置及び方法
（５７）【特許請求の範囲】
　【請求項１】　入力した画像データの第１の色情報を画像記録用の第２の色情報に変換する変換手段と、
　
画像全体を記録する
それぞれ
　前記画像記録手段により画像を記録する方法の選択に応じて、当該選択された記録方法に対応する色変換を行なうよう前記変換手段を制御する変換制御手段とを有することを特徴とする画像処理装置。
　【請求項２】　前記画像記録手段は、インクジェット方式による記録を行なう手段とすることを特徴とする請求項１に記載の画像処理装置。
　【請求項３】　入力した画像データの第１の色情報を画像記録用の第２の色情報に変換する変換手段と、
画像全体を記録する
それぞれ
　前記画像記録手段により画像を記録する方法の選択信号を受信し、
　当該選択信号により選択される記録方法に対応する色変換を行なうよう前記変換手段を制御することを特徴とする画像処理方法。
　【請求項４】　前記画像記録手段は、インクジェット方式による記録を行なう手段とすることを特徴とする請求項３に記載の画像処理方法。
【発明の詳細な説明】
　【０００１】
　【産業上の利用分野】
　本発明は、画像処理装置及び方法に関するものであって、特に、入力した画像データの色情報を画像記録用の色情報に変換して記録する画像記録装置及び方法に関するものである。
　【０００２】
　【従来の技術】
　従来のカラー画像形成データを受けとり、それに基づいて画像を生成し記録するカラー画像記録装置は、その多くが、１つの定められた画像記録手段により画像を記録するものであり、カラー画像形成データ中の色情報を画像記録用の色情報に変換する手段も画像記録手段にあわせて１つしかなかった。
　【０００３】
　また、高級な画像記録装置には、画像記録手段として、図６および図７に示すような、異なる複数の画像記録手段を具える画像記録装置もあった。
　【０００４】
　図６、図７の記録方法とも、記録ヘツドが、縦に４ドツト分、横に１ドツト分だけ１度に記録可能な記録ヘツドを用いて画像を記録する場合のものである。
　【０００５】
　図６に示した記録方法は、上記記録ヘツドを水平方向に移動させながら、縦に４ドツト分、横に順に１ドツトずつ記録していき、次にヘツド又は記録用紙を動かすことにより、ヘツドと記録用紙の位置関係において、４ドツト分ヘツドを下にずらす。その後再びヘツドを水平方向に移動させながら、縦に４ドツト分の画像を記録していくというものである。
　【０００６】
　一方、図７に示した記録方法は、上記記録ヘツドを水平方向に移動させながら縦、横とも１ドツトおきに例えばスキヤン位置７１の時は図７の黒く示されたドツトだけ記録していき、次にヘツドの縦方向の長さの２分の１、すなわち２ドツト分だけヘツドを下げ（又は用紙を上げ）スキヤン位置７２の時は残りの１ドツトおき、すなわち図７の白く示されたドツトだけを記録していく。これをくり返すことにより画像全体を記録するというものである。つまり、７３に示すスキヤン位置で黒く示されたドツトを、７４に示すスキヤン位置で白く示されたドツトを記録し、図６と同様の記録を行うものである。
　【０００７】
　以上の２つの記録方法を比較すると、前者の方法には、用紙又は記録ヘツドの垂直方向の移動ムラなどによって、記録ヘツドの水平方向のスキヤンごとに、重なって記録されたり、すき間ができたりして横縞模様が目立つことがあるという欠点がある。
　【０００８】
　後者の方法には、前者の方法で目だった横縞模様が、目立ちにくいという利点がある一方で、記録ヘツドのスキヤン回数が２倍になり、記録時間が長いという欠点がある。
　【０００９】
　そこで、上記の各々の記録方法による記録手段を両方具え、どちらかの記録手段を選択して画像の記録を行なえるような画像記録装置も出てきている。
　【００１０】
　【発明が解決しようとしている課題】
　しかしながら、上記従来例では、複数の記録手段を具えていても、入力されたカラー画像形成データ中の色成分を画像記録用の色情報に変換する色変換手段は１つしかなく、どの記録手段で画像を記録する場合にでも、同一の色変換手段を用いていた。このため、同一のカラー画像形成データであっても、記録手段を変えて記録すると、得られた画像の色が異なってしまうという欠点があった。
　【００１１】
　そこで本発明では、複数の記録手段のうちのどの記録手段で画像を記録した場合でも、色の等しい画像を得ることが可能なカラー画像記録装置を提供することを目的とする。
　【００１２】
　【課題を解決する為の手段】
　本発明は、上記従来の課題を解決するために、入力した画像データの第１の色情報を画像記録用の第２の色情報に変換する変換手段と、
画像全体を記録する
それぞれ
　【００１３】
　本発明は、上記従来の課題を解決するために、入力した画像データの第１の色情報を画像記録用の第２の色情報に変換する変換手段と、
画像全体を記録する
それぞれ
　【００１４】
　【作用】
　本発明では画像を記録する方法に対応する色変換を行なった後、画像を記録する。
　【００１５】
　【実施例】
　以下、添付図面にしたがって、本発明に係る一実施例を詳細に説明する。
　【００１６】
　図１は本発明実施例の基本構成を示す。
　【００１７】
　図１において、ホストコンピユータなどの情報発生源から受信したカラー画像データを基に画像パターンを生成し、異なる２つの記録手段により画像記録可能なカラー画像記録装置は、
　前記カラー画像データ中の第１の色情報を、前記記録手段に対応させた第２の色情報に変換する２つの色変換手段１０００、１０１０と、
　前記２つの記録手段の選択を指示する制御信号を受信して、当該制御信号を示す記録手段に対応した色変換手段に前記第１の色情報を転送する変換制御手段１１００と、
　記録制御情報を受信して、当該情報の示す記録手段を識別する記録制御識別手段１２００と、
　当該識別の結果に対応させて、前記制御信号を発生する記録制御信号発生手段１３００と、
　を具えている。
　【００１８】
　＜装置構成の説明＞
　図２は本発明に係る一実施例の画像記録装置の回路構成を示すブロツク図である。
　【００１９】
　図中１は本実施例のカラー画像記録装置本体であり、ホストコンピユータ（２）から色を多値のＲＧＢで表現した画像データを受けとり、イエロー、マゼンタ、シアンの合計３色のインクを用いて画像を記録するカラー画像記録装置である
　【００２０】
　２は本実施例の画像記録装置にカラー画像データを供給するホストコンピユータである。
　【００２１】
　３はプログラムＲＯＭ（５）内に格納されている図３及び図４に示すようなフローチヤートを制御する為のプログラムにしたがい、画像記録装置本体の制御を行うＣＰＵである。
　【００２２】
　４はホストコンピユータにより送られてくるカラー画像データを一時的に格納しておくための受信バツフアである。５はＣＰＵ（３）が画像記録装置本体の制御を行うための図３および図４に示すアルゴリズムをもつプログラムが格納されているプログラムＲＯＭである。
　【００２３】
　６はフレームバツフアであり、Ｙ、Ｍ、Ｃ各色ごとに生成された画像パターンを保持するメモリである。
　【００２４】
　７は記録モードフラグであり、カラー画像出力部（８）によって用いられる記録手段を示す情報が保持されている。
　【００２５】
　８は、２つの記録手段、ノーマル記録モード（図６）と高品位記録モード（図７）の切り替えが可能なカラー画像出力部であり、両モードとも、フレームバッファ（６）内のＹ、Ｍ、Ｃ各色ごとの画像パターンを用いてカラー画像を記録する。
　【００２６】
　９はノーマル記録モード時に用いる色変換処理のうちのガンマ変換で用いられる情報であり、Ｙ、Ｍ、Ｃ各色ごとに濃度値０〜２５５（０はインクを塗らないときの濃度、２５５はインクをベタ塗りしたときの濃度）の各濃度値に対して、Ｙ、Ｍ、Ｃ各色の階調値を対応させた表形式のデータである。
　【００２７】
　１０は９と同様にガンマ変換で用いられる情報であり、高品位記録モード時に用いられるデータである。
　【００２８】
　１１は、ノーマル記録モード時に用いる色変換処理のうちのマスキング処理で用いられるマスキング係数を保持している領域である。
　【００２９】
　１２は、１１と同様のマスキング処理で用いられるマスキング係数であり、高品位記録モード時に用いられるものである。
　【００３０】
　１３はガンマ変換テーブル保持領域であり、記録モードによって、９または１０のガンマ変換テーブルのデータがこの領域にロードされる。
　【００３１】
　１４はマスキング係数保持領域であり、１３と同様に記録モードによって１１または１２のマスキング係数の値がロードされる。
　【００３２】
　１５はＣＰＵ（３）が動作中に各種のデータの処理などに使用するワークメモリである。
　【００３３】
　＜プリンタの説明＞
　図８は本実施例に係るバブルジエツトプリンタの構成例を示す。
　【００３４】
　ここで８０９はインクジエツト記録ヘツドを有したヘツドカートリツジ、８１１はこれを搭載して図中Ｓ方向に走査するためのキヤリツジである。８１３はヘツドカートリツジ８０９をキヤリツジ８１１に取付けるためのフツク、８１５はフツク８１３を操作するためのレバーである。このレバー８１５には、後述するカバーに設けられた目盛を指示してヘツドカートリツジの記録ヘツドによる印字位置や設定位置等を読み取り可能とするためのマーカ８１７が設けられている。８１９はヘツドカートリツジ８０９に対する電気接続部を支持する支持板である。８２１はその電気接続部と本体制御部とを接続するためのフレキシブルケーブルである。
　【００３５】
　８２３は、キヤリツジ８１１をＳ方向に案内するためのガイド軸であり、キヤリツジ８１１の軸受８２５に挿通されている。８２７はキヤリツジ８１１が固着され、これをＳ方向に移動させるための動力を伝達するタイミングベルトであり、装置両側部に配置されたプーリ８２９Ａ、８２９Ｂに張架されている。一方のプーリ８２９Ｂには、ギア等伝達機構を介してキヤリツジモータ８３１より駆動力が伝達される。
　【００３６】
　８３３は紙等の記録媒体（以下記録紙ともいう）の被記録面を規制するとともに記録等に際してこれを搬送するためのプラテンローラであり、搬送モータ８３５によって駆動される。８３７は記録媒体を給紙トレー４側より記録位置に導くためのペーパーバン、８３９は記録媒体の送給経路途中に配設されて記録媒体をプラテンローラ８３３に向けて押圧し、これを搬送するためのフイードローラである。８４１は記録媒体搬送方向上、記録位置より下流側に配置され、記録媒体を不図示の排紙口へ向けて排紙するための排紙ローラである。８４２は排紙ローラ８４１に対応して設けられる拍車であり、記録媒体を介してローラ８４１を押圧し、排紙ローラ８４１による記録媒体の搬送力を生じさせる。８４３は記録媒体のセット等に際してフイードローラ８３９、押え板８４５、拍車８４２それぞれの付勢を解除するための解除レバーである。
　【００３７】
　８４５は記録位置近傍において記録媒体の浮上り等を抑制し、プラテンローラ８３３に対する密着状態を確保するための押え板である。本実施例においては、記録ヘツドとしてインク吐出を行うことにより記録を行うインクジエツト記録ヘツドを採用している。従って記録ヘツドのインク吐出口形成面と記録媒体の被記録面との距離は比較的微少であり、かつ記録媒体と吐出口形成面との接触を避けるべくその間隔が厳しく管理されなければならないので、押え板８４５の配設が有効である。８４７は押え板８４５に設けた目盛、８４９はこの目盛に対応してキャリッジ８１１に設けられたマーカであり、これらによっても記録ヘッドの印字位置や設定位置が読み取り可能である。
　【００３８】
　８５１はホームポジシヨンにおいて記録ヘツドのインク吐出口形成面と対向するゴム等の弾性材料で形成したキヤツプであり、記録ヘツドに対し当接／離脱が可能に支持されている。このキヤツプ８５１は、非記録時等の記録ヘツドの保護や、記録ヘツドの吐出回復処理に際して用いられる。吐出回復処理とは、インク吐出口内方に設けられてインク吐出のために利用されるエネルギ発生素子を駆動することにより全吐出口からインクを吐出させ、これによって気泡や塵埃、増粘して記録に適さなくなったインク等の吐出不良要因を除去する処理（予備吐出）や、これとは別に吐出口よりインクを強制的に排出させることにより吐出不良要因を除去する処理である。
　【００３９】
　８５３はインクの強制排出のために吸引力を作用するとともに、かかる強制排出による吐出回復処理や予備吐出による吐出回復処理に際してキヤツプ８５１に受容されたインクを吸引するために用いられるポンプである。８５５はこのポンプ８５３によって吸引された廃インクを貯留するための廃インクタンク、８５７はポンプ８５３と廃インクタンク８５５とを連通するチユーブである。
　【００４０】
　８５９は記録ヘツドの吐出口形成面のワイピングを行うためのブレードであり、記録ヘツド側に突出してヘツド移動の過程でワイピングを行うための位置と、吐出口形成面に係合しない後退位置とに移動可能に支持されている。８６１は回復系モータ、８６３は回復系モータ８６１から動力の伝達を受けてポンプ８５３の駆動およびキヤツプ８５１やブレード８５９の移動をそれぞれ行わせるためのカム装置である。
　【００４１】
　＜処理動作の説明＞
　上述した構成から成る本実施例における画像記録処理動作を図３および図４に示したフローチヤートをもとに説明する。
　【００４２】
　図３および図４のフローチヤートは図２中のプログラムＲＯＭ（５）に格納されているプログラムのアルゴリズムを示したものである。
　【００４３】
　まずステツプＳ１で受信バツフア中に格納されているホストコンピユータ（２）から送られてきた受信データを読み込む。尚ホストコンピユータ（２）からのデータの受信は不図示の割り込みルーチンによって処理されているものとする。次にステップＳ２で、読み込んだデータが記録モード設定命令であるか否かを判断する。上記データが記録モード設定命令であった場合にはステツプＳ３へ進み、記録モードフラグの値をセツトする。このとき、記録モード設定命令で設定された記録モードがノーマル記録モードであった場合には、１、高品位記録モードであった場合には２をそれぞれ記録モードフラグにセットする。次にステツプＳ４、及びＳ５へ進み、ガンマ変換テーブル保持領域（１３）およびマスキング係数保持領域（１４）へ記録モードフラグの示す記録モードに対応したガンマ変換テーブルとマスキング係数（９と１１または１０と１２）をロードする。その後ステップＳ１へ戻り、以降のデータ処理をくり返す。
　【００４４】
　一方、ステツプＳ２で記録モード設定命令でないと判断された場合には、ステツプＳ６へ進み、ホストコンピユータ（２）から読み込んだデータが記録色設定命令であるかどうかを判断する。記録色設定命令であった場合には、設定されたＲＧＢの値をワークメモリ（１５）に保存しておく。その後ステツプＳ１へ戻り以降のデータ処理をくり返す。
　【００４５】
　ステツプＳ６で、記録色設定命令でないと判断された場合には、ステツプＳ８へ進む。ステツプＳ８ではホストコンピユータ（２）から読み込んだデータが描画命令かどうかを判断する。ここでいう描画命令とは、文字、図形を描く命令のことである。描画命令であると判断された場合にはステツプＳ９へ進む。ステツプＳ９では、その時点で設定されている記録色ＲＧＢの値を、ワークメモリ内から読み込み、そのＲＧＢの値から図５に示した流れによってＹ、Ｍ、Ｃの階調値への変換を行う。次にステツプＳ１０へ進みＹ、Ｍ、Ｃの各階調値に対応する階調パターンを求める。さらにＳ１１で上記パターンを用いてＹ、Ｍ、Ｃ各色ごとに文字、図形を描画し、フレームバツフア（６）に格納する。その後ステツプＳ２へ戻り、以降のデータの処理をくり返す。
　【００４６】
　ステップＳ８において、描画命令でないと判断された場合にはステツプＳ１２へ進む。ステツプＳ１２では、ホストコンピユータ（２）から読み込んだデータが排紙命令かどうかを判断する。排紙命令であると判断された場合にはステツプＳ１３へ進み、記録および排紙処理を行う。ここではその時点で設定されている記録モードフラグ（７）の値を参照し、ノーマル記録モードで記録するか高品位記録モードで記録するかを選択し処理する。
　【００４７】
　またステツプＳ１２で排紙命令でないと判断された場合にはステツプＳ１４へ進む。ステツプＳ１４で処理されるデータとしては、文字の種類（書体や大きさなど）を選択する命令や、描画位置を指定する位置指定命令などがある。これらの命令はすべて、このステツプＳ１４で各命令ごとに処理されるものとする。
　【００４８】
　以上説明したように、本実施例によれば、異なる二種の記録手段に対して、別々の色変換処理を行うことが可能となる。
　【００４９】
　尚、上述した実施例ではホストコンピユータから供給されるカラー画像データ中の色成分としてＲＧＢに限定したものであったが、本発明はこれに限定されるものではなく、ＧＩＥのＬ＊ａ＊ｂ＊やＸＹＺなどの他の表色系を用いたものであっても問題ない。
　【００５０】
　また、上述した実施例では、記録手段の選択に必要な記録制御信号発生の根拠となる記録制御情報をカラー画像データ中の記録モード設定命令から受けとるものであったが、不図示の操作パネルからのキー操作によりモード指定することも可能である。この場合にはＣＰＵ（３）が操作パネルでの設定値を読み込み、記録モードフラグ（７）をセツトすることになる。
　【００５１】
　さらに、２つの記録手段に対応した色変換処理は、上述した実施例ではともに図５に示した流れをもつもので、各々がパラメータの値が異なる程度の違いのものであったが、色変換処理の流れが全く異なるようなものを用いてもよい。
　【００５２】
　【発明の効果】
　以上説明したように、本発明によれば、
画像全体を記録する
それぞれ
画像全体を
【図面の簡単な説明】
　【図１】
　本発明実施例の基本構成を示すブロツク図
　【図２】
　本発明実施例の具体的な回路構成を示すブロツク図
　【図３】
　図２のＣＰＵ（３）の実行する処理手順を示すフローチヤート
　【図４】
　図２のＣＰＵ（３）の実行する処理手順を示すフローチヤート
　【図５】
　本発明の色変換処理の流れを示す説明図
　【図６】
　第１の画像記録方法を示す説明図
　【図７】
　第２の画像記録方法を示す説明図
　【図８】
　本発明を実施することのできるプリンタの構成図
　【符号の説明】
　１　カラー画像記録装置本体
　２　ホストコンピユータ
　３　ＣＰＵ
　４　受信バツフア
　５　プログラムＲＯＭ
　６　フレームバツフア
　７　記録モードフラグ
　８　カラー画像出力部
　９　ノーマル記録モード用ガンマ変換テーブル
　１０　高品位記録モード用ガンマ変換テーブル
　１１　ノーマル記録モード用マスキング係数
　１２　高品位記録モード用マスキング係数
　１３　ガンマ変換テーブル保持領域
　１４　マスキング係数保持領域
　１５　ワークメモリ